(57)【要約】【課題】スライドスイッチの操作感覚を悪化させることなく、防水機能を維持しながら確実に反応させる。【解決手段】背面側キャビネット４にスライドスイッチ本体１１をスライド可能に収容するスイッチ用溝部４ａを形成し、スライドスイッチ本体１１とスイッチ用溝部４ａとの間に貫通孔４ｂを防水する防水パッキン１２を狭持する。防水パッキン１２に一体に形成された操作軸１３を貫通孔４ｂに背面側キャビネット４の厚さ方向に挿入し、突起部１１ｂをスライドスイッチ本体１１をスライドしたときに操作軸１３の一端１３ａに当接させ、操作軸１３を傾動させてその他端１３ｂによって押圧式スイッチ１４を操作する。【選択図】図１
2014090276.tif 000002
【特許請求の範囲】
【請求項１】
スライドスイッチ本体をスライド可能に収容するスイッチ用溝部が形成された携帯端末本体と、
上記スイッチ用溝部に形成された貫通孔と、
上記スライドスイッチ本体と上記スイッチ用溝部との間に狭持され、上記貫通孔を防水する防水パッキンと、
上記防水パッキンに一体に形成されると共に、上記貫通孔に上記携帯端末本体の厚さ方向に挿入される操作軸と、
上記スライドスイッチ本体に突設され、該スライドスイッチ本体をスライドしたときに上記操作軸の一端に当接して該操作軸を傾動させる突起部と、
上記携帯端末本体内に収容された回路基板に接続され、上記操作軸の傾動に伴って該操作軸の他端によって操作される押圧式スイッチとを備えている
ことを特徴とする携帯端末。
【請求項２】
請求項１に記載の携帯端末において、
上記防水パッキンにおける上記操作軸の周囲は、他の部位よりも厚さが薄くなっていることを特徴とする携帯端末。
【請求項３】
スライドスイッチ本体をスライド可能に収容するスイッチ用溝部が形成された携帯端末本体と、
上記スイッチ用溝部に形成された貫通孔と、
上記スライドスイッチ本体と上記スイッチ用溝部との間に狭持され、上記貫通孔を防水する防水パッキンと、
上記貫通孔周縁に傾動可能に支持されると共に、一端が上記防水パッキンに覆われる操作軸と、
上記スライドスイッチ本体に突設され、該スライドスイッチ本体をスライドしたときに上記操作軸の一端に当接して該操作軸を傾動させる突起部と、
上記携帯端末本体内に収容された回路基板に接続され、上記操作軸の傾動に伴って該操作軸の他端によって操作される押圧式スイッチとを備えている
ことを特徴とする携帯端末。
【請求項４】
請求項１から３までのいずれか１つに記載の携帯端末において、
上記操作軸の一端における上記突起部との作用点から該操作軸の傾動中心までの距離と、該操作軸の他端における上記押圧式スイッチに対する作用点から上記傾動中心までの距離との比が１よりも小さくなっている
ことを特徴とする携帯端末。
【発明の詳細な説明】
【技術分野】
【０００１】
本発明は、スライドスイッチを有する携帯端末に関するものである。
【背景技術】
【０００２】
従来より、スライドスイッチを備えた携帯端末は知られている（例えば、特許文献１参照）。例えば図９〜図１３に示すように、従来の携帯端末２０１では、携帯端末本体２０４の表面に形成したスイッチ用溝部２０４ａとスライドスイッチ本体２１１との間に防水パッキン２１２とスペーサ２１５とを狭持し、スライドスイッチ本体２１１のスライド操作に伴って、その膨出部２１１ａでスペーサ２１５の軸部２１５ａを押し下げ、防水パッキン２１２の押圧部２１２ａを介して回路基板２１６上のドームスイッチ２１４を押圧するようにしている。
【先行技術文献】
【特許文献】
【０００３】
【特許文献１】特開２０１２−１１４６０９号公報
【発明の概要】
【発明が解決しようとする課題】
【０００４】
しかしながら、従来の携帯端末２０１では、スライドスイッチ本体２１１の水平方向（矢印Ｘ）へのスライド動作を垂直方向（矢印Ｙ）への押し下げ動作に変換するため、摩擦による荷重が大きかったり、感触が悪かったり、反応が悪かったりするという問題がある。
【０００５】
本発明は、かかる点に鑑みてなされたものであり、その目的とするところは、スライドスイッチの操作感覚を悪化させることなく、防水機能を維持しながら確実に反応させるようにすることにある。
【課題を解決するための手段】
【０００６】
上記の目的を達成するために、この発明では、スライドスイッチ本体のスライド操作により操作軸を傾動させて押圧スイッチを操作するようにした。
【０００７】
具体的には、第１の発明では、
スライドスイッチ本体をスライド可能に収容するスイッチ用溝部が形成された携帯端末本体と、
上記スイッチ用溝部に形成された貫通孔と、
上記スライドスイッチ本体と上記スイッチ用溝部との間に狭持され、上記貫通孔を防水する防水パッキンと、
上記防水パッキンに一体に形成されると共に、上記貫通孔に上記携帯端末本体の厚さ方向に挿入される操作軸と、
上記スライドスイッチ本体に突設され、該スライドスイッチ本体をスライドしたときに上記操作軸の一端に当接して該操作軸を傾動させる突起部と、
上記携帯端末本体内に収容された回路基板に接続され、上記操作軸の傾動に伴って該操作軸の他端によって操作される押圧式スイッチとを備えている。
【０００８】
上記の構成によると、防水パッキンにより、防水効果を維持した状態でスライドスイッチ本体のスライド動作を操作軸の傾動動作に変換することができるので、操作時の抵抗が小さくて操作感覚もよい。しかも、操作軸が防水パッキンと一体なので、従来のようにスペーサを設ける必要がなく、組付も容易である。
【０００９】
第３の発明では、
スライドスイッチ本体をスライド可能に収容するスイッチ用溝部が形成された携帯端末本体と、
上記スイッチ用溝部に形成された貫通孔と、
上記スライドスイッチ本体と上記スイッチ用溝部との間に狭持され、上記貫通孔を防水する防水パッキンと、
上記貫通孔周縁に傾動可能に支持されると共に、一端が上記防水パッキンに覆われる操作軸と、
上記スライドスイッチ本体に突設され、該スライドスイッチ本体をスライドしたときに上記操作軸の一端に当接して該操作軸を傾動させる突起部と、
上記携帯端末本体内に収容された回路基板に接続され、上記操作軸の傾動に伴って該操作軸の他端によって操作される押圧式スイッチとを備えている。
【００１０】
上記の構成によると、防水パッキンにより、防水効果を維持した状態でスライドスイッチ本体のスライド動作を操作軸の傾動動作に変換することができるので、操作時の抵抗が小さくて操作感覚もよい。しかも、操作軸を貫通孔の周囲に傾動可能に支持したので、傾動動作が安定する。
【発明の効果】
【００１１】
以上説明したように、本発明によれば、スライドスイッチ本体のスライド移動により、操作軸を傾動させて押圧式スイッチを操作するようにしたので、スライドスイッチの操作感覚を悪化させることなく、防水機能を維持しながら確実に反応させることができる。
【図面の簡単な説明】
【００１２】
【図１】図２のＩ−Ｉ線拡大断面図である。
【図２】本発明の実施形態に係る携帯電話機を背面側から見た斜視図である。
【図３】スライドスイッチ部分を分解した図２相当図である。
【図４】スライドスイッチ本体をスライドさせたときの図１相当図である。
【図５】防水パッキン及び操作軸を拡大して示す斜視図である。
【図６】本発明の実施形態の変形例に係る図１相当図である。
【図７】スライドスイッチ本体をスライドさせたときの図６相当図である。
【図８】変形例の防水パッキン及び操作軸を拡大して示す斜視図である。
【図９】従来の携帯端末を背面側から見た斜視図である。
【図１０】図９のスライドスイッチ部分の分解斜視図である。
【図１１】図９のXI−XI線拡大断面図である。
【図１２】スライドスイッチ本体をスライドさせたときの図１１相当図である。
【図１３】防水パッキンとスペーサとを拡大して示す斜視図である。
【発明を実施するための形態】
【００１３】
以下、本発明の実施形態を図面に基づいて説明する。
【００１４】
図２は、本発明の実施形態に係る携帯端末としての携帯電話機１を背面側から見た斜視図であり、図１は、そのＩ−Ｉ線拡大断面図である。図３は、スライドスイッチ部分を分解した図２相当図である。本発明の実施形態の携帯電話機１は、いわゆるスマートフォンであり、表面側に表示部２を収容する正面側キャビネット３を備え、その正面側キャビネット３の背面側に携帯端末本体としての背面側キャビネット４が結合されている。正面側キャビネット３及び背面側キャビネット４内には、回路基板５が内蔵されている。
【００１５】
図４は、スライドスイッチ本体をスライドさせたときの図１相当図であり、図５は、防水パッキン及び操作軸を拡大して示す斜視図である。背面側キャビネット４には、スライドスイッチ１０の操作部分を構成するスライドスイッチ本体１１をスライド可能に収容するスイッチ用溝部４ａが形成されている。スライドスイッチ本体１１は、例えば、樹脂成形品、金属成形品等よりなる矩形板状のもので、表面の先端側に他の部分よりも膨らんだ操作部１１ａが形成されている。裏面側には、携帯電話機１の厚さ方向に延びる突起部１１ｂが一体に形成されている。
【００１６】
一方、スイッチ用溝部４ａは、背面側キャビネット４の他の表面よりも矩形状に低く形成され、携帯電話機１の幅方向内側に内部へ貫通する貫通孔４ｂが形成されている。貫通孔４ｂは、例えば矩形状とするが、円形でもよい。
【００１７】
そして、スライドスイッチ本体１１とスイッチ用溝部４ａとの間には、矩形板状の防水パッキン１２が狭持されている。防水パッキン１２は、例えばシリコンゴムよりなり、この防水パッキン１２には、貫通孔４ｂに対し、背面側キャビネット４の厚さ方向に挿入される操作軸１３が一体に形成されている。操作軸１３は、例えばシリコンゴムの成形時にインサート成形すればよい。なお、防水パッキン１２における操作軸１３の周囲１２ａは、他の部位よりも厚さが薄くなっている。
【００１８】
そして、図４に示すように、スライドスイッチ本体１１に突設された突起部１１ｂが、スライドスイッチ本体１１をスライドしたときに操作軸１３の一端１３ａに当接して操作軸１３を携帯電話機１の幅方向（図４の右方向）に傾動させるようになっている。スライドスイッチ１１を元の位置に戻すと、操作軸１３は、防水パッキン１２の弾性により元の垂直な位置に戻るように構成されている。
【００１９】
背面側キャビネット４内に収容された回路基板５には、押圧式スイッチ１４が接続されている。この押圧式スイッチ１４は、スイッチ部１４ａが携帯電話機１の幅方向に伸縮するように配置されており、操作軸１３の傾動に伴って操作軸１３の他端１３ｂによってオン・オフ操作されるように構成されている。
【００２０】
そして、図１に示すように、操作軸１３の一端１３ａにおける突起部１１ｂとの作用点から操作軸１３の傾動中心Ｏまでの距離Ｌ１と、操作軸１３の他端１３ｂにおける押圧式スイッチ１４に対する作用点から傾動中心Ｏまでの距離Ｌ２との比が１よりも小さくなっている（Ｌ１／Ｌ２＜１）。なお、この比は、スライドスイッチ本体１１のスライド量、スイッチ部１４ａの押込量、防水パッキン１２の柔軟性等から適切な値を選択するとよい。
【００２１】
−実施形態の効果−
本実施形態によると、防水パッキン１２により、防水効果を維持した状態でスライドスイッチ本体１１のスライド動作を操作軸１３の傾動動作に変換することができるので、操作時の抵抗が小さくて操作感覚もよい。しかも、操作軸１３が防水パッキン１２と一体なので、従来のようにスペーサを設ける必要がなく、組付が容易である。
【００２２】
また、防水パッキン１２における操作軸１３の周囲１２ａは、他の部位よりも厚さが薄くなっている。この構成によると、操作軸１３の周囲１２ａが変形しやすいので、操作軸１３の動きが安定する。
【００２３】
さらに、操作軸１３の一端１３ａにおける突起部１１ｂとの作用点から該操作軸１３の傾動中心Ｏまでの距離Ｌ１と、操作軸１３の他端１３ｂにおける押圧式スイッチ１４に対する作用点から傾動中心Ｏまでの距離Ｌ２との比が１よりも小さくなっている。この構成によると、スライドスイッチ本体１１のスライド量が小さくても確実に押圧式スイッチ１４を反応させることができる。このため、スイッチ用溝部４ａの長さを短くすることができ、省スペースが図られる。
【００２４】
したがって、本実施形態によれば、スライドスイッチ本体１１のスライド移動により、操作軸１３を傾動させて押圧式スイッチ１４を操作するようにしたので、スライドスイッチ１０の操作感覚を悪化させることなく、防水機能を維持しながら確実に反応させることができる。
【００２５】
−実施形態の変形例−
図６は、本発明の実施形態の変形例に係る図１相当図であり、図７は、スライドスイッチ本体１１をスライドさせたときの図６相当図であり、図８は、変形例の防水パッキン１１２及び操作軸１１３を拡大して示す斜視図である。本変形例は、防水パッキン１１２及び操作軸１１３の構成が異なる点で上記実施形態と異なる。なお、本変形例において、図１〜図５と同じ部分については同じ符号を付してその詳細な説明は省略する。
【００２６】
すなわち、本変形例では、操作軸１１３は、携帯電話機１０１の上下方向に延びる傾動軸１１３ｃを有し、この傾動軸１１３ｃが図示しない貫通孔４ｂ周縁の軸受部に傾動可能に支持されている。そして、一端１１３ａ側が、防水パッキン１１２に設けた袋状部１１２ａに覆われている。
【００２７】
このように構成することで、図７に示すように、上記実施形態と同様にスライドスイッチ本体１１をスライドしたときに突起部１１ｂが袋状部１１２ａを介して操作軸１１３の一端１１３ａに当接し、操作軸１１３が傾動軸１１３ｃを中心に傾動されて押圧式スイッチ１４を押し込むようになっている。
【００２８】
したがって、本変形例においても、防水パッキン１１２により、防水効果を維持した状態でスライドスイッチ本体１１のスライド動作を操作軸１１３の傾動動作に変換することができるので、操作時の抵抗が小さくて操作感覚もよい。しかも、操作軸１１３を貫通孔４ｂの周囲に傾動可能に支持したので、傾動動作が安定する。
【００２９】
（その他の実施形態）
本発明は、上記実施形態について、以下のような構成としてもよい。
【００３０】
すなわち、上記実施形態では、携帯端末は、携帯電話機１としたが、ＰＨＳ（Personal Handy-phone System ）、ＰＤＡ(Personal Digital Assistant)、パソコン、モバイルツール、電子辞書、電卓、ゲーム機等であってもよい。
【００３１】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３２】
１      携帯電話機（携帯端末）
４      背面側キャビネット（携帯端末本体）
４ａ    スイッチ用溝部
４ｂ    貫通孔
５      回路基板
１１      スライドスイッチ本体
１１ｂ    突起部
１２      防水パッキン
１２ａ    周囲
１３      操作軸
１３ａ    一端
１３ｂ    他端
１４      押圧式スイッチ
１０１      携帯電話機（携帯端末）
１１２      防水パッキン
１１３      操作軸
１１３ａ    一端
１１３ｃ    傾動軸
【図１】
2014090276.tif 000003
【図２】
2014090276.tif 000004
【図３】
2014090276.tif 000005
【図４】
2014090276.tif 000006
【図５】
2014090276.tif 000007
【図６】
2014090276.tif 000008
【図７】
2014090276.tif 000009
【図８】
2014090276.tif 000010
【図９】
2014090276.tif 000011
【図１０】
2014090276.tif 000012
【図１１】
2014090276.tif 000013
【図１２】
2014090276.tif 000014
【図１３】
2014090276.tif 000015